(57)【要約】【課題】操作する人を特定し、かつ容易にエレベータの休止、復帰を行わせることが可能なエレベータの運転休止装置を提供する。【解決手段】エレベータを運転休止状態にするエレベータの運転休止装置であって、かご内に設けられた操作にセキュリティが掛けられたかご内休止スイッチ１１と、前記かご内休止スイッチが操作されると、エレベータを戸閉状態で休止させる休止動作手段と、かごの休止階の乗場呼び釦に所定の操作がされるとかごを戸開し、その後前記かご内休止スイッチが操作されると、エレベータに復帰動作を行わせる復帰動作手段と、を備えた。【選択図】図２
2010023976.tif 000002
【特許請求の範囲】
【請求項１】
エレベータを運転休止状態にするエレベータの運転休止装置であって、
かご内に設けられた操作にセキュリティが掛けられたかご内休止スイッチと、
前記かご内休止スイッチが操作されると、エレベータを戸閉状態で休止させる休止動作手段と、
かごの休止階の乗場呼び釦に所定の操作がされるとかごを戸開し、その後前記かご内休止スイッチが操作されると、エレベータに復帰動作を行わせる復帰動作手段と、
を備えたことを特徴とするエレベータの運転休止装置。
【請求項２】
前記休止動作手段は、前記かご内休止スイッチが操作されると、エレベータを最終的にかごを任意の階で戸閉状態で休止させ、
前記復帰動作手段は、かごの休止階の乗場呼び釦に所定の操作がされると、かごを戸開し、その後前記かご内休止スイッチが操作されると、エレベータを運転可能な状態にすることを特徴とする請求項１に記載のエレベータの運転休止装置。
【請求項３】
前記休止動作手段は、前記かご内休止スイッチが休止状態に操作されるとエレベータを休止させ、前記復帰動作手段は、前記かご内休止スイッチが休止状態から切り替えられるとエレベータに復帰動作を行わせることを特徴とする請求項１又は２に記載のエレベータの運転休止装置。
【請求項４】
前記かご内休止スイッチが、かご内の施錠機構を有するスイッチボックス内に設けられた休止スイッチからなることを特徴とする請求項１から３までのいずれか１項に記載のエレベータの運転休止装置。
【発明の詳細な説明】
【技術分野】
【０００１】
この発明は、エレベータをサービス不要時等に運転休止状態にするエレベータの運転休止装置に関するものである。
【背景技術】
【０００２】
エレベータを休止させるには、乗場や管理人室に休止スイッチを設けてエレベータを休止させるのが一般的であるが、改修エレベータや、デザイン性の高いエレベータは乗場や管理人室に容易に休止スイッチを設けることができないことがある。
【０００３】
休止スイッチなしでエレベータを休止させる方法としては、例えば下記特許文献１では、特殊な乗場釦操作によりエレベータを休止・復帰させている。例えば、エレベータ休止時では、かご戸閉待機中にかごの居る階の乗揚釦を長押しすることでエレベータを休止させ、復帰時には、エレベータ休止中にかごの居る階の乗場釦を長押しすることでエレベータを復帰させている。
【０００４】
また下記特許文献２では、電源スイッチとかご内の休止スイッチを組み合わせて実施している。すなわち、かご内スイッチ及びエレベータ電源遮断により休止させ、エレベータ電源復帰により復帰させている。
【０００５】
【特許文献１】特開平４−１７９６８３号公報
【特許文献２】特開２０００−３３５８３５号公報
【発明の開示】
【発明が解決しようとする課題】
【０００６】
以上のような従来の装置では、例えば上記特許文献１では、エレベータ休止時には誤操作の可能性があり、休止からの復帰時には、エレベータ休止中に一般の利用客でも復帰が可能であるという課題があった。また上記特許文献２では、電源スイッチは一般に、エレベータの機械室やビルの電源設備にあるものであり、電源スイッチによりエレベータを休止させるのは使い勝手が悪く、一般的ではなかった。
【０００７】
この発明は、操作する人を特定し、かつ容易にエレベータの休止、復帰を行わせることが可能なエレベータの運転休止装置を提供することを目的とする。
【課題を解決するための手段】
【０００８】
この発明は、エレベータを運転休止状態にするエレベータの運転休止装置であって、かご内に設けられた操作にセキュリティが掛けられたかご内休止スイッチと、前記かご内休止スイッチが操作されると、エレベータを戸閉状態で休止させる休止動作手段と、かごの休止階の乗場呼び釦に所定の操作がされるとかごを戸開し、その後前記かご内休止スイッチが操作されると、エレベータに復帰動作を行わせる復帰動作手段と、を備えたことを特徴とするエレベータの運転休止装置にある。
【発明の効果】
【０００９】
この発明では、操作する人を特定しかつ容易にエレベータの休止、復帰を行わせることが可能なエレベータの運転休止装置を提供できる。
【発明を実施するための最良の形態】
【００１０】
実施の形態１．
図１はこの発明によるエレベータの運転休止装置を備えたエレベータの概略構成図である。図１において、主ロープ１の両端にはかご２と釣合錘３が取り付けられ、かご２と釣合錘３は主ロープ１を巻上げる巻上機４の回転により昇降路５内を互いに逆の方向に昇降する。制御装置６は、各階の乗場呼び釦７からの乗場呼び信号やかご２内の操作盤８の行先階釦９からのかご呼び信号や、かご１の位置や速度等を検出する各種センサ(図示省略)からの検出信号等に基づき巻上機４を駆動させて、かご１を所望階にサービスする運転を行う。
【００１１】
そして図２の部分拡大図に示すように、かご２内の操作盤８のスイッチボックス１０内には、かご内休止スイッチ１１が設けられている。スイッチボックス１０は、かご内休止スイッチ１１やその他のボックス内の機器を一般客が操作できないようにセキュリティを掛けるために施錠機構を有している。
【００１２】
図３、図４にこの発明によるエレベータの運転休止装置に関する制御装置６の制御により行われるエレベータの休止動作時、および休止後の復帰動作時の動作フローチャートを示し、以下動作を説明する。
【００１３】
図３の休止動作時、最初に、かご内休止スイッチ１１が操作されるまで、エレベータは通常運転状態で入力待ち状態となる(ステップＳ１)。この状態から、例えば保守員等がかご２内の操作盤８のスイッチボックス１０を解錠して、かご内休止スイッチ１１が例えば休止状態又は休止位置に操作されると(ステップＳ２)、走行中であれば最寄階に停止して戸開し、停止中であれば戸開し、エレベータが休止状態であることを示すため、各階の乗場位置表示灯を消灯し、休止灯を点灯させ、乗場呼び及びかご呼びを受け付けない登録不能状態にする(ステップＳ３)。ここで、予め休止指定階を設定しておき、この休止指定階に帰着させてもよい。
【００１４】
次に戸開(全開)を継続し(ステップＳ４)、所定時間経過するのを待ち(ステップＳ５)、所定時間経過後、かご内を消灯し、戸閉し(ステップＳ６)、エレベータ休止状態(ステップＳ７)とする。
【００１５】
次に図４の復帰動作時、最初に、エレベータ休止階の乗場呼び釦７が所定時間(例えば３秒)押し続けられるまで入力待ち状態となる(ステップＳ８)。ここで乗場呼び釦７の操作は、所定回数(例えば３回)連続押し等、予め定められた操作であれば良い。この状態から乗場呼び釦７に所定の操作がされると(ステップＳ９)、戸開する(ステップＳ１０)。戸開後所定時間(例えば１０秒)経過するまで待ち(ステップＳ１１)、かご内休止スイッチ１１を解除しないと、戸閉し休止状態に戻る(ステップＳ１２)。
【００１６】
戸開後、所定時間内に、例えば保守員等がかご２内の操作盤８のスイッチボックス１０を解錠して、かご内休止スイッチ１１が例えば休止状態又は休止位置から例えば運転状態に切り替えられ、休止スイッチ解除がなされると(ステップＳ１３)、かご内照明、各階の乗場位置表示器を点灯し、乗場休止灯を消灯し、乗場呼び及びかご呼びを受け付ける、登録可能状態にし(ステップＳ１４)、エレベータ通常運転状態に復帰する(ステップＳ１５)。
【００１７】
なお、かご内休止スイッチを内部に設けたスイッチボックスの施錠機構は、機械鍵や暗証番号照合機能等を使用した施錠機構でよく、さらにスイッチボックスの蓋の閉め忘れを防止するため、貴重品ボックスのように、バネ力等で自動的に閉じて施錠されるものが好ましい。
【００１８】
さらに、操作にセキュリティが掛けられたかご内休止スイッチは、必ずしも施錠機構を備えたスイッチボックス内に設けられる必要はなく、例えば暗証番号やバイオメトリックによる認証処理機能を有し認証処理の結果に基づき操作入力を有効とする、かご内の操作盤上に設けられたかご内休止スイッチで構成してもよい。
【図面の簡単な説明】
【００１９】
【図１】この発明によるエレベータの運転休止装置を含むエレベータの概略構成図である。
【図２】図１のスイッチボックス部分の部分拡大図である。
【図３】この発明によるエレベータの運転休止装置のエレベータの休止動作時の動作フローチャートである。
【図４】この発明によるエレベータの運転休止装置のエレベータの休止後の復帰動作時の動作フローチャートである。
【符号の説明】
【００２０】
１  主ロープ、２  かご、３  釣合錘、４  巻上機、５  昇降路、６  制御装置、７  乗場呼び釦、８  操作盤、９  行先階釦、１０  スイッチボックス、１１  かご内休止スイッチ。
【図１】
2010023976.tif 000003
【図２】
2010023976.tif 000004
【図３】
2010023976.tif 000005
【図４】
2010023976.tif 000006